(57)【特許請求の範囲】
【請求項１】
ハンガーパイプに引っ掛ける吊り手を上側壁面上にもち、周壁に薬剤揮散孔をもち、横向きの容器本体と該容器本体の開口部に嵌着する横向きの蓋とからなるプラスチック製の吊り手付防虫剤容器であって、前記吊り手が、前記容器本体の上側壁外面の開口部側に立設する先端が開口部側へ曲がった引っ掛け部と、前記蓋の上側壁外面の開口部側の前記引っ掛け部と対向する位置に立設する閉じ部とからなり、前記容器本体の引っ掛け部の先端と前記蓋の閉じ部の先端との間隔を、前記ハンガーパイプの外径より狭くしたことを特徴とする吊り手付防虫剤容器。
【請求項２】
ハンガーパイプに引っ掛ける吊り手を上側壁上にもち、周壁に薬剤揮散孔をもち、横向きの容器本体と該容器本体の開口部に嵌着する横向きの蓋とからなるプラスチック製の吊り手付防虫剤容器であって、前記横向きの蓋が、前記横向きの容器本体の開口部の表面壁又は裏側壁のどちらが一方にヒンジを介して連続し、前記吊り手が、前記容器本体の上側壁外面の開口部側に立設する先端が開口部側へ曲がった引っ掛け部と、前記蓋の上側壁外面の開口部側の前記引っ掛け部と対向する位置に立設する閉じ部とからなり、前記容器本体の引っ掛け部の先端と前記蓋の閉じ部の先端との間隔を、前記ハンガーパイプの外径より狭くしたことを特徴とする吊り手付防虫剤容器。
【発明の詳細な説明】
【０００１】
【発明の属する技術分野】
本発明は、洋ダンス、クローゼットなどに収納する衣類などを防虫するために、ハンガーパイプに吊り下げて使用する吊り手付防虫剤容器に関するものである。
【０００２】
【従来の技術】
従来、プラスチック製の防虫剤容器には、洋ダンス、クローゼット内に設けられているハンガーパイプに吊り下げるための吊り手が上側壁面に付けらた吊り手付防虫剤容器があるが、この吊り手の先端と壁面との間隙は、ハンガーパイプに取り付け易くするために、ハンガーパイプの外径より広くとられていた。しかし、防虫剤容器が、衣類などの出し入れの際に、人体や衣類が触れて脱落し易いため、吊り手の一部分を板バネ形状にして伸縮性を付与し、吊り手先端と壁面との間隙を、ハンガーパイプの外径より狭くした吊り手付防虫剤容器も使用されていた。
【０００３】
【発明が解決しようとする課題】
しかしながら、上述した吊り手の一部分を板バネ形状した吊り手付防虫剤容器においても、吊り手の伸縮が板バネ形状部分の弾力性によるものであり、衣類の出し入れの際して、決して満足な脱落防止機能を発揮するものではなかった。
【０００４】
本発明は、上述の従来のプラスチック製の吊り手付防虫剤容器の問題を解決したものであり、洋ダンス、クローゼットなどのハンガーパイプに吊り手を引っ掛けて吊り下げて使用したときに、衣類などの出し入れの際に人体や衣類が触れても脱落しないプラスチック製の吊り手付防虫剤容器を提供するものである。
【０００５】
【課題を解決するための手段】
すなわち、本発明の第１の発明は、ハンガーパイプに引っ掛ける吊り手を上側壁面上にもち、周壁に薬剤揮散孔をもち、横向きの容器本体とこの容器本体の開口部に嵌着する横向きの蓋とからなるプラスチック製の吊り手付防虫剤容器であって、前記吊り手が、前記容器本体の上側壁外面の開口部側に立設する先端が開口部側へ曲がった引っ掛け部と、前記蓋の上側壁外面の開口部側の前記引っ掛け部と対向する位置に立設する閉じ部とからなり、前記容器本体の引っ掛け部の先端と前記蓋の閉じ部の先端との間隔を、前記ハンガーパイプの外径より狭くしたことを特徴とする吊り手付防虫剤容器である。
【０００６】
そして、本発明の第２の発明は、ハンガーパイプに引っ掛ける吊り手を上側壁上にもち、周壁に薬剤揮散孔をもち、横向きの容器本体とこの容器本体の開口部に嵌着する横向きの蓋とからなるプラスチック製の吊り手付防虫剤容器であって、前記横向きの蓋が、前記横向きの容器本体の開口部の前方壁又は後方壁のどちらが一方にヒンジを介して連続し、前記吊り手が、前記容器本体の上側壁外面の開口部側に立設する先端が開口部側へ曲がった引っ掛け部と、前記蓋の上側壁外面の開口部側の前記引っ掛け部と対向する位置に立設する閉じ部とからなり、前記容器本体の引っ掛け部の先端と前記蓋の閉じ部の先端との間隔を、前記ハンガーパイプの外径より狭くしたことを特徴とする吊り手付防虫剤容器である。
【０００７】
【発明の実施の形態】
本発明の吊り手付防虫剤容器は、洋ダンスやクローゼットなどのハンガーパイプに、壁面上に設けられた吊り手を引っ掛けて吊り下げて、容器内に収納する薬剤を周壁に設けられた薬剤揮散孔から揮散して衣類などを防虫するものであり、容器本体とこの容器本体の開口部に嵌着する蓋とからなるプラスチック製の吊り手付防虫剤容器である。容器本体と蓋は、ポリプロピレン、ポリエチレンやポリエチレンテレフタレートなど適度の剛性をもつ熱可塑性樹脂を射出成形して作製するものである。
【０００８】
次に、本発明の実施形態１の吊り手付防虫剤容器について、図を用いて詳細に説明する。
図１（ａ）は、実施形態１の容器本体と蓋の正面図であり、図１（ｂ）は、容器本体の左側面図であり、図１（ｂ）は、蓋の右側面図である。図２は、容器本体に蓋を嵌着して吊り手を、ハンガーパイプに引っかけた状態を示す説明図である。
【０００９】
実施形態１の吊り手付防虫剤容器（１０）の構造は、図１（ａ）及び（ｂ）に示すように、横向きの容器本体（１００）とこの容器本体の開口部（１６０）に嵌着する横向きの蓋（２００）とからなり、容器本体や蓋の表側壁（１１０，２１０）、裏側壁（１２０，２２０）、左側壁（１４０）、右側壁（２４０）には薬剤揮散孔（１１１，２１１，１４１，２４１など）が設けられるものである。必要に応じては、上側壁（１３０，２３０）、下側壁（１５０，２５０）にも薬剤揮散孔を設けても良い。そして、吊り手（１１）は、容器本体（１００）の上側壁（１３０）外面の開口部（１６０）側に立設する先端が開口部側へ曲がった引っ掛け部（１３１）と、蓋（２００）の上側壁（２３０）外面の開口部（２６０）側の引っ掛け部（１３１）と対向する位置に立設する閉じ部（２３１）とからなり、また、容器本体の開口部に蓋の開口部を嵌着し洋ダンスやクローゼットなどのハンガーパイプに吊り手を引っ掛けたときに、図２に示すように、容器本体（１００）の引っ掛け部（１３１）の先端と蓋（２００）の閉じ部（２３１）の先端との間隔（ｄ）を、洋ダンスやクローゼットなどのハンガーパイプ（２０）の外径（ｒ）より狭くするように設計するものである。なお、容器本体と蓋とは、別体であり、それぞれ射出成形して作製するものである。
【００１０】
本発明の実施形態２の吊り手付防虫剤容器（１０）の構造は、横向きの蓋が横向きの容器本体の開口部の表側壁又は裏側壁のどちらが一方にヒンジを介して連続するものであり、その他は、実施形態１と同様である。なお、容器本体と蓋とは、一体に射出成形して作製するものである。
【００１１】
本実施形態の手付防虫剤容器は、容器本体に、例えば、ピレスロイド系殺虫剤などの薬剤を含浸させた薬剤マットを装填し、上側壁外面に立設する吊り手の引っ掛け部を洋ダンスやクローゼットなどのハンガーパイプに引っ掛けて、容器本体の開口部に蓋を嵌着すると、蓋の上側壁外面に立設する吊り手の閉じ部によって吊り手が閉じ、容器がハンガーパイプに吊り手によって吊り下げられる。そして、吊り手の引っ掛け部の先端と吊り手の閉じ部の先端との間隔がハンガーパイプの外径より狭いため、衣類などの出し入れの際に、人体や衣類が容器に触れても容器が脱落するようなことがない。
【００１２】
【発明の効果】
本発明のプラスチック製の吊り手付防虫剤容器は、洋ダンス、クローゼットなどハンガーパイプに吊り下げて、収納する衣類など防虫に使用するものであり、容器に設けられた吊り手によりハンガーパイプに容器を吊り下げると、吊り手の引っ掛け部と吊り手の閉じ部とにより、衣類などの出し入れの際に、人体や衣類が容器に触れても容器が脱落することがない。
【図面の簡単な説明】
【図１】（ａ）は、本発明の実施形態１の吊り手付防虫剤容器の容器本体と蓋の正面図であり、（ｂ）は、容器本体の左側面図であり、（ｃ）は、蓋の右側面図である。
【図２】図１に示す容器本体に蓋を嵌着して吊り手を、ハンガーパイプに引っかけた状態を示す説明図である。
【符号の説明】
１０……防虫剤容器
１１……吊り手
２０……ハンガーパイプ
１００……容器本体
１１０，２１０……表側壁
１１１，１４１，２１１，２４１……薬剤発散孔
１２０，２２０……裏側壁
１３０，２３０……上側壁
１３１……引っ掛け部
１４０……左側壁
１５０，２５０……下側壁
１６０，２６０……開口部
２００……蓋
２３１……閉じ部
２４０……右側壁
ｒ……外径
ｄ……間隔
【図１】
0004045837.tif 000002
【図２】
0004045837.tif 000003